(57)【要約】      （修正有）【課題】アスペクト比が高い、所謂版状建物に設置される乾式間仕切り壁及びその施工方法を提供する。【解決手段】上階床１の下面及び下階床２の上面にランナー３，４が取り付けられ、前記上下のランナーの両側に配置された下張りボード７の下端部は、下部ランナー４へビスで固定され、上端部は上部ランナー３のフランジ３ａ，３ｂへ滑り部材６を介在させて当接され、相対峙する下張りボードは、上部ランナーの下方位置に貫通させたタイロッドと、その両端に設けた端部プレートとから成る挟み込み金具１０で相互に連結され、前記下張りボードの外面に上張りボード１１，１１’が貼り付けられている。【選択図】図１
2005314998.tif 000002
【特許請求の範囲】
【請求項１】
建物等に設置される乾式間仕切り壁であって、
上階床の下面及び下階床の上面にランナーが取り付けられ、前記上下のランナーの両側に配置された下張りボードの下端部は、下部ランナーへビスで固定され、上端部は上部ランナーのフランジへ滑り部材を介在させて当接され、相対峙する下張りボードは、上部ランナーの下方位置に貫通させたタイロッドと、その両端に設けた端部プレートとから成る挟み込み金具で相互に連結され、前記下張りボードの外面に上張りボードが貼り付けられていることを特徴とする、乾式間仕切り壁。
【請求項２】
建物等に設置される乾式間仕切り壁の施工方法であって、
上階床の下面及び下階床の上面にランナーを取り付け、前記上下のランナーの両側に配置された下張りボードの下端部は下部ランナーへビスで固定し、上端部は上部ランナーのフランジへ滑り部材を介在させて当接させ、相対峙する下張りボードは、上部ランナーの下方位置に貫通させたタイロッドと、その両端に設けた端部プレートとから成る挟み込み金具で相互に連結し、前記下張りボードの外面に上張りボードを貼り付ける工程から成ることを特徴とする、乾式間仕切り壁の施工方法。
【請求項３】
挟み込み金具は、一方の端部に端部プレートを設けたタイロッドと、他端のネジ部へ端部プレートとしてネジ込まれるナットプレートとで構成されており、前記タイロッドは相対峙する下張りボードを貫通して前記ナットプレートをネジ込める長さとされ、下張りボードと端部プレート、ナットプレートとの間に滑り部材を介在させて前記タイロッドのネジ部にナットプレートがネジ込まれることを特徴とする、請求項１に記載した乾式間仕切り壁又は請求項２に記載した乾式間仕切り壁の施工方法。
【請求項４】
挟み込み金具は、タイロッドと、その両端のネジ部へ端部プレートとしてネジ込まれる２枚のナットプレートとで構成されており、前記タイロッドは相対峙する下張りボードを貫通して両端に前記ナットプレートをネジ込める長さとされ、下張りボードとナットプレートとの間に滑り部材を介在させて前記タイロッドの両端にナットプレートがネジ込まれることを特徴とする、請求項１に記載した乾式間仕切り壁又は請求項２に記載した乾式間仕切り壁の施工方法。
【請求項５】
挟み込み金具は、端部プレート付きタイロッドを２個組み合わせて構成されており、一方のタイロッドの先端に雄ネジ部が形成され、他方のタイロッドの先端に雌ネジ部が形成されてあって、相対峙する下張りボードへ貫通させた各タイロッドは、下張りボードと端部プレートとの間に滑り部材を介在させて、前記雄ネジ部を雌ネジ部にネジ込み連結することを特徴とする、請求項１に記載した乾式間仕切り壁又は請求項２に記載した乾式間仕切り壁の施工方法。
【請求項６】
タイロッドは、相対峙する下張りボードを貫通して前記ナットプレートの厚さと略等しい締結代が突き出る長さとされ、同締結代の長さに亘ってネジ部が形成されていることを特徴とする、請求項３又は４に記載した乾式間仕切り壁及びその施工方法。
【請求項７】
上張りボードは、タイロッドの端部プレート又はタイロッドにネジ込んだナットプレートと当たる部位をくり抜いており、同くり抜いた部分には上張りボードブロックを嵌め込んで一体化していることを特徴とする、請求項１に記載した乾式間仕切り壁又は請求項２に記載した乾式間仕切り壁の施工方法。
【請求項８】
タイロッドの雄ネジ部とナットプレートとは接着されていることを特徴とする、請求項３〜６のいずれか一に記載した乾式間仕切り壁及びその施工方法。
【発明の詳細な説明】
【技術分野】
【０００１】
この発明は、高層建物等に設置される乾式間仕切り壁、及びその施工方法の技術分野に属し、更に云うと、アスペクト比が高い、所謂版状建物に設置される乾式間仕切り壁及びその施工方法に関する。
【背景技術】
【０００２】
高層建物は、施工の容易性、工期の短縮化を図るべく乾式工法で施工されるケースが多い。乾式工法は、鉄骨柱と鉄骨梁、及び床スラブなどを組み立てて躯体を施工し、各階層に間仕切り壁を設置して区画を形成するもので、一般的に柔構造であることが知られている。アスペクト比が高い、所謂版状建物の場合は、面外方向に向かって吹く風の影響を受け易く、層間で比較的大きな相対変位を生じやすい。これに対して、通例の間仕切り壁は、下張りボードの上下端部が上階床及び下階床に取り付けられたランナーにビスで固定されているため、上記のように層間で相対変位が生じると、下張りボードとビス、ランナーとが擦れ合い擦過音（軋み音）が生じる。この擦過音は極めて小さい音圧であるが、静寂な病院の病室やホテルの客室等では時として耳障りとなり、環境の悪化を招いていた。
【０００３】
そこで、種々の対策技術が開発されている。例えば、以下の（ｉ）〜（iii）の間仕切り壁が開示されている。
（ｉ）特許文献１の間仕切り壁は、上階床の下面及び下階床の上面にランナーが取り付けられ、その両側に配置された下張りボードの下端部が前記の下部ランナーにビスで固定されている。下張りボードの上端部に係止部材（クリップ金物）が取り付けられ、同係止部材の挟持部が上部ランナーのフランジに滑動可能に嵌め入れられている。前記挟持部の内周面には小突起部が形成されており、フランジとの接触面積を小さくして摩擦力を低減し、部材同士の擦過音の発生を軽減している。
【０００４】
（ii）特許文献２の間仕切り壁は、上階床の下面及び下階床の上面にランナーが取り付けられている。下張りボードには裏面にリブが備えられており、同リブの上端部には上部ランナーのフランジを挿入する溝部が形成されている。下張りボードの下端部は下部ランナーにビスで固定され、上端部のリブの溝部内に上部ランナーのフランジが、低摩擦材を介して滑動可能に嵌め入れられている。低摩擦材を介在させることで摩擦力を低減し、部材同士の擦過音の発生を軽減している。
【０００５】
（iii）特許文献３の間仕切り壁は、上階床の下面及び下階床の上面にランナーが取り付けられ、同上下のランナー内にスタッドの上下端部が嵌め入れられている。下張りボードは前記スタッドにビスで固定されており、その上端部の裏面には上部ランナーのフランジと接触しないように後退面が形成され、相互に隙間が形成されている。隙間を形成することで、下張りボードの裏面と上部ランナーのフランジとの接触を防ぎ、部材同士の擦過音の発生を軽減している。
【０００６】
【特許文献１】特開平６−１３６８６１号公報
【特許文献２】特開２００３−２７６３９号公報
【特許文献３】特開２００２−３３２７０８号公報
【発明の開示】
【発明が解決しようとする課題】
【０００７】
上記特許文献１の間仕切り壁は、係止部材の挟持部の内周面に小突起部を形成してフランジとの接触面積を小さくし、部材同士の擦過音の発生を軽減できることは認められるが、静寂な病院の病室やホテルの客室等で耳障りとならない程度まで軽減することは難しい。
【０００８】
上記特許文献２の間仕切り壁は、下張りボードのリブの溝部内に上部ランナーのフランジを、低摩擦材を介して滑動可能に嵌め入れており、部材同士が直接に接触しないので、良好に擦過音の発生を軽減できるが、構造が複雑なので施工が面倒であり、しかもコストが嵩む。
【０００９】
上記特許文献３の間仕切り壁は、下張りボードの裏面と上部ランナーのフランジとの接触が防がれているので、上記特許文献２と同様に良好に擦過音の発生を軽減できるが、スタッドが配置されていることが前提であるので、同スタッドが配置されていない箇所では適用できない。
【００１０】
本発明の目的は、相対峙する下張りボードを相互に挟み込み金具で連結して、同下張りボードの上端部を上部ランナーに対して滑動可能とし、しかも滑動する下張りボードの上端部を上部ランナーへ滑り部材を介在させて当接することで、部材同士の擦過音が静寂な病院の病室やホテルの客室等で耳障りとならない程度まで軽減できる、乾式間仕切り壁及びその施工方法を提供することである。
【００１１】
本発明の次の目的は、構造が簡単で、施工が容易であり、コストの削減を図れ、しかもスタッドが配置されていない箇所でも適用できる、乾式間仕切り壁及びその施工方法を提供することである。
【課題を解決するための手段】
【００１２】
上記従来技術の課題を解決するための手段として、請求項１に記載した発明に係る乾式間仕切り壁は、
建物等に設置される乾式間仕切り壁であって、
上階床の下面及び下階床の上面にランナーが取り付けられ、前記上下のランナーの両側に配置された下張りボードの下端部は、下部ランナーへビスで固定され、上端部は上部ランナーのフランジへ滑り部材を介在させて当接され、相対峙する下張りボードは、上部ランナーの下方位置に貫通させたタイロッドと、その両端に設けた端部プレートとから成る挟み込み金具で相互に連結され、前記下張りボードの外面に上張りボードが貼り付けられていることを特徴とする。
【００１３】
請求項２に記載した発明に係る乾式間仕切り壁の施工方法は、
建物等に設置される乾式間仕切り壁の施工方法であって、
上階床の下面及び下階床の上面にランナーを取り付け、前記上下のランナーの両側に配置された下張りボードの下端部は下部ランナーへビスで固定し、上端部は上部ランナーのフランジへ滑り部材を介在させて当接させ、相対峙する下張りボードは、上部ランナーの下方位置に貫通させたタイロッドと、その両端に設けた端部プレートとから成る挟み込み金具で相互に連結し、前記下張りボードの外面に上張りボードを貼り付ける工程から成ることを特徴とする。
【００１４】
請求項３記載の発明は、請求項１に記載した乾式間仕切り壁又は請求項２に記載した乾式間仕切り壁の施工方法において、
挟み込み金具は、一方の端部に端部プレートを設けたタイロッドと、他端のネジ部へ端部プレートとしてネジ込まれるナットプレートとで構成されており、前記タイロッドは相対峙する下張りボードを貫通して前記ナットプレートをネジ込める長さとされ、下張りボードと端部プレート、ナットプレートとの間に滑り部材を介在させて前記タイロッドのネジ部にナットプレートがネジ込まれることを特徴とする。
【００１５】
請求項４記載の発明は、請求項１に記載した乾式間仕切り壁又は請求項２に記載した乾式間仕切り壁の施工方法において、
挟み込み金具は、タイロッドと、その両端のネジ部へ端部プレートとしてネジ込まれる２枚のナットプレートとで構成されており、前記タイロッドは相対峙する下張りボードを貫通して両端に前記ナットプレートをネジ込める長さとされ、下張りボードとナットプレートとの間に滑り部材を介在させて前記タイロッドの両端にナットプレートがネジ込まれることを特徴とする。
【００１６】
請求項５記載の発明は、請求項１に記載した乾式間仕切り壁又は請求項２に記載した乾式間仕切り壁の施工方法において、
挟み込み金具は、端部プレート付きタイロッドを２個組み合わせて構成されており、一方のタイロッドの先端に雄ネジ部が形成され、他方のタイロッドの先端に雌ネジ部が形成されてあって、相対峙する下張りボードへ貫通させた各タイロッドは、下張りボードと端部プレートとの間に滑り部材を介在させて、前記雄ネジ部を雌ネジ部にネジ込み連結することを特徴とする。
【００１７】
請求項６記載の発明は、請求項３又は４に記載した乾式間仕切り壁及びその施工方法において、
タイロッドは、相対峙する下張りボードを貫通して前記ナットプレートの厚さと略等しい締結代が突き出る長さとされ、同締結代の長さに亘ってネジ部が形成されていることを特徴とする。
【００１８】
請求項７記載の発明は、請求項１に記載した乾式間仕切り壁又は請求項２に記載した乾式間仕切り壁の施工方法において、
上張りボードは、タイロッドの端部プレート又はタイロッドにネジ込んだナットプレートと当たる部位をくり抜いており、同くり抜いた部分には上張りボードブロックを嵌め込んで一体化していることを特徴とする。
【００１９】
請求項８記載の発明は、請求項３〜６のいずれか一に記載した乾式間仕切り壁及びその施工方法において、
タイロッドの雄ネジ部とナットプレートとは接着されていることを特徴とする。
【発明の効果】
【００２０】
本発明に係る乾式間仕切り壁及びその施工方法は、上下のランナーの両側に相対峙するように配置した下張りボードの上端部をそれぞれ上部ランナーのフランジへ滑り部材を介在させて当接させ、同下張りボードの相互を挟み込み金具で連結して、下張りボードの上端部を上部ランナーに対して滑動可能としたので、部材同士の擦過音が静寂な病院の病室やホテルの客室等で耳障りとならない程度まで軽減することができる。
【００２１】
しかも、主として相対峙する下張りボードを挟み込み金具で連結した簡単な構造であるので、施工が容易で、コストの削減を図ることができる。また、スタッドが配置されていない箇所でも適用でき、適用範囲が広い。
【発明を実施するための最良の形態】
【００２２】
上階床の下面及び下階床の上面にランナーが取り付けられる。前記上下のランナーの両側に配置された下張りボードの下端部は、下部ランナーへビスで固定され、上端部は上部ランナーのフランジへ滑り部材を介在させて当接される。相対峙する下張りボードは、上部ランナーの下方位置に貫通させたタイロッドと、その両端に設けた端部プレートとから成る挟み込み金具で相互に連結される。前記下張りボードの外面に上張りボードが貼り付けられる。
【実施例１】
【００２３】
先ず、請求項２及び請求項３並びに請求項６〜８に記載した発明に係る乾式間仕切り壁の施工方法（以下、単に施工方法と云う場合がある。）の実施例を、図１及び図２に基づいて説明する。本発明の施工方法は、アスペクト比が高い、所謂版状建物に乾式間仕切り壁を設置するために実施される。
【００２４】
上階床１の下面及び下階床２の上面に、相対峙する配置で上下のランナー３、４をビス５で取り付ける。前記ランナー３（４）は、通例のランナーと同じくウエブ３ａ（４ａ）の両側から立ち上がるフランジ３ｂ（４ｂ）を有する断面コの字形状の軽量溝形鋼で構成している。
【００２５】
上部ランナー３のフランジ３ｂの外面に、滑り部材としてテフロン（登録商標）テープ６を貼り付けて、図示は省略したが吸音材や断熱材を挟み込むようにして、下張りボード７を上下のランナー３、４の両側に配置し、上端部を上部ランナー３のフランジ３ｂにビス８で固定し、同じく下端部を下部ランナー４のフランジ４ｂにビス８で固定する。ちなみに、前記下張りボード７は、通例の下張りボードと同じく石膏ボード、石膏板などの建材ボードで構成しており、裏面には補強リブ９を備えているが、上部ランナー３のフランジ３ｂの下方位置には、後に挟み込み金具１０を通すための貫通穴７ａを形成している。
【００２６】
下張りボード７の外面の下方部、すなわち下張りボード７に形成した貫通穴７ａの下方位置まで上張りボード１１を係止具と接着剤（図示を省略）を用いて貼り付ける。前記上張りボード１１も、通例の上張りボードと同じく、石膏ボード、石膏板などの建材ボードで構成している。
【００２７】
相対峙する下張りボード７と７を挟み込み金具１０で連結する。具体的には、前記挟み込み金具１０は、一方の端部に端部プレート１２を設けたタイロッド１３と、他端のネジ部１３ａに端部プレートとしてネジ込まれるナットプレート１４とで構成している。タイロッド１３は相対峙する下張りボード７、７を貫通して前記ナットプレート１４の厚さと略等しい締結代が突き出る長さＬ１であって、同締結代の長さに亘ってネジ部１３ａを形成している（請求項６記載の発明）。前記タイロッド１３の端部プレート１２及びナットプレート１４の内面、すなわち下張りボード７と向かい合う面に滑り部材としてテフロンテープ１５を貼り付ける。そして、一方の下張りボード７の貫通穴７ａにタイロッド１３を通して、その先端を他方側の下張りボード７の貫通穴７ａから突き出し、ナットプレート１４をネジ込んでいる（請求項３記載の発明）。前記タイロッド１３の先端は、ナットプレート１４の厚さと略等しい締結代の長さ分しか下張りボード７から突き出ないので、結果として同先端はネジ込んだナットプレート１４から突き出ることが無く、後に上張りボード１１’を貼り付ける際に邪魔にならない。しかも、下張りボード７から突き出る締結代の長さ範囲にのみネジ部１３ａを形成しているので、ナットプレート１４の過度なネジ込みを防止することができる。また、タイロッド１３の端部プレート１２及びナットプレート１４の内面にテフロンテープ１５を貼り付けているので、前記プレート１２、１４と下張りボード７とが擦れても、擦過音がほとんど発生しない。更には、ナットプレート１４のネジ込む強さを調節して上部ランナー３のフランジ３ｂと下張りボード７の上端部との当接圧をコントロールすることができる。ちなみに、タイロッド１３のネジ部１３ａにロック材を塗布し、ナットプレート１４をネジ込んで接着すると、同ナットプレート１４の緩みを恒久的に防止することができる（請求項８記載の発明）。
【００２８】
下張りボード７の上端部を上部ランナー３に仮止めしたビス８を取り外し、残りの上方部の上張りボード１１’を係止具と接着剤（図示を省略）を用いて貼り付けると施工が完了する。このとき、前記上張りボード１１’は、タイロッド１３の端部プレート１２又はタイロッド１３にネジ込んだナットプレート１４と当たる部位をくり抜いておき、同くり抜いた部分に前記上張りボード１１’と面一となるように厚さが調整された新たな上張りボードブロック１６を嵌め込んで一体化すると、段差の無い仕上げ面を形成することができる（請求項７記載の発明）。なお、当該部分が天井裏に隠れる場合には、表面に段差が生じていても特に支障はないので、上張りボードブロック１６に厚さ調整を行うことなく嵌め込んで良い。
【００２９】
上記のように施工された間仕切り壁は、上階床１の下面及び下階床２の上面にランナー３、４が取り付けられている。そして、前記上下のランナー３、４の両側に配置された下張りボード７の下端部は、下部ランナー４へビス８で固定され、上端部は上部ランナー３のフランジ３ｂへ滑り部材６を介在させて当接されている。相対峙する下張りボード７と７は、上部ランナー３の下方位置に形成した貫通穴７ａに通されたタイロッド１３と、その両端に設けられた端部プレート１２、１４とから成る挟み込み金具１０で相互に連結されている。その下張りボード７の外面には上張りボード１１が貼り付けられている（請求項１記載の発明）。つまり、上下のランナー３、４の両側に相対峙するように配置した下張りボード７、７の上端部をそれぞれ上部ランナー３のフランジ３ｂ、３ｂへ滑り部材６を介在させて当接させ、同下張りボード７、７相互を挟み込み金具１０で連結して、下張りボード７の上端部を上部ランナー３に対して滑動可能としたので、部材同士の擦過音が静寂な病院の病室やホテルの客室等で耳障りとならない程度まで軽減することができる。
【００３０】
しかも、主として相対峙する下張りボード７、７を挟み込み金具１０で連結した簡単な構造であるので、上述したように施工が容易で、コストの削減を図ることができる。また、スタッドが配置されていない箇所でも適用でき、適用範囲が広い。
【００３１】
以下に、本発明に係る間仕切り壁と、上記背景技術で示した特許文献１の間仕切り壁との擦過音の発生を比較した実験結果を、図３〜図５に示す。実験は、下端部が固定された間仕切り壁の上端部を面内方向に、油圧シリンダーによって振幅を加え、そのときの上端部の擦過音を測定し、特許文献１の間仕切り壁の測定結果を図３に示し、本発明に係る間仕切り壁の測定結果を図４に示した。図３と図４を比較すると、本発明に係る間仕切り壁は擦過音の発生を大きく軽減できることがわかる。
【００３２】
また、図５には、特許文献１の間仕切り壁と、本発明に係る間仕切り壁との擦過音の周波数特性を比較した実験結果を示しているが、どの周波数領域でも特許文献１の間仕切り壁に比べて擦過音の発生を軽減できることがわかる。
【実施例２】
【００３３】
上記実施例１の挟み込み金具１０は、端部プレート１２付きのタイロッド１３と、ナットプレート１４とで構成しているが、この限りでない。図６に示すように、タイロッド１７と、その両端のネジ部１７ａ、１７ａへ端部プレートとしてネジ込まれる２枚のナットプレート１８、１８とで構成しても良い。
【００３４】
前記タイロッド１７は相対峙する下張りボード７、７を横断して前記ナットプレート１８の厚さと略等しい締結代が突き出る長さＬ２であって、両端の締結代の長さに亘ってネジ部１７ａを形成している。このタイロッド１７を一方の下張りボード７の貫通穴７ａに通して、その先端を他方側の下張りボード７の貫通穴７ａから突き出し、両端のネジ部１７ａ、１７ａにそれぞれ内面に滑り部材１５を貼り付けたナットプレート１８、１８をネジ込んでいる（請求項４記載の発明）。
【実施例３】
【００３５】
また、図７に示しように、２個の端部プレート１９（１９’）付きタイロッド２０（２０’）で構成しても良い。一方のタイロッド２０の先端に雄ネジ部２０ａを形成し、他方のタイロッド２０’の先端に雌ネジ部２０ａ’を形成しており、前記雄ネジ部２０ａを雌ネジ部２０ａ’にネジ込むと対峙する下張りボード７、７の外面相互間と略等しい長さＬ３となる。
【００３６】
タイロッド２０（２０’）の端部プレート１９（１９’）の内面に滑り部材１５を貼り付けて、双方の下張りボード７、７の貫通穴７ａ、７ａにそれぞれタイロッド２０、２０’を通し、一方のタイロッド２０の雄ネジ部２０ａを他方側のタイロッド２０’の雌ネジ部２０ａ’にネジ込み連結している（請求項５記載の発明）。
【実施例４】
【００３７】
なお、上記実施例１の間仕切り壁及びその施工方法は、滑り部材６を上部ランナー３のフランジ３ｂに貼り付けているが、下張りボード７の上端部裏面に貼り付けても同様に実施できる。
【００３８】
また、上記実施例１〜３の間仕切り壁及びその施工方法は、滑り部材１５をタイロッドの端部プレート及びナットプレートの内面に貼り付けたが、下張りボード７の貫通穴７ａの周辺に貼り付けても同様に実施できる。
【実施例５】
【００３９】
更には、上記実施例１〜３の間仕切り壁及びその施工方法は、ネジロッドの締結代の長さ範囲にのみネジ部を形成しているが、全長に亘ってネジ部を形成しても良い。
【図面の簡単な説明】
【００４０】
【図１】本発明に係る乾式間仕切り壁及びその施工方法を概念的に示した断面図である。
【図２】図１の挟み込み金具周辺を拡大して示した拡大断面図である。
【図３】特許文献１の間仕切り壁における擦過音の発生を実験によって測定した値を示したグラフである。
【図４】本発明に係る間仕切り壁における擦過音の発生を実験によって測定した値を示したグラフである。
【図５】特許文献１の間仕切り壁と、本発明に係る間仕切り壁との擦過音の周波数特性を比較した実験結果を示したグラフである。
【図６】異なる挟み込み金具を示した拡大断面図である。
【図７】更に異なる挟み込み金具を示した拡大断面図である。
【符号の説明】
【００４１】
１            上階床
２            下階床
３            上部ランナー
４            下部ランナー
３ａ、４ａ    ウエブ
３ｂ、４ｂ    フランジ
６            滑り部材（テフロンテープ）
７            下張りボード
７ａ          貫通穴
８            ビス
１０          挟み込み金具
１１、１１’  上張りボード
１２          端部プレート
１３          タイロッド
１３ａ        ネジ部
１４          ナットプレート（端部プレート）
１５          滑り部材（テフロンテープ）
１６          新たな上張りボードブロック
１７          タイロッド
１７ａ        ネジ部
１８          ナットプレート（端部プレート）
１９、１９’  端部プレート
２０、２０’  タイロッド
２０ａ        雄ネジ部
２０ａ’      雌ネジ部                
【図１】
2005314998.tif 000003
【図２】
2005314998.tif 000004
【図３】
2005314998.tif 000005
【図４】
2005314998.tif 000006
【図５】
2005314998.tif 000007
【図６】
2005314998.tif 000008
【図７】
2005314998.tif 000009
【手続補正書】
【提出日】平成16年5月6日(2004.5.6)
【手続補正１】
【補正対象書類名】図面
【補正対象項目名】図７
【補正方法】変更
【補正の内容】
【図７】
2005314998.tif 000010